(57)【要約】【課題】  従来のエレベータの非常連絡装置では、通話状態の点検を行うのに二人の作業者を必要としていた。【解決手段】  かご室操作盤２の内部にマイク７及びスピーカ６を有する内部非常連絡装置３が設けられている。この内部非常連絡装置は、かご室の外部に設けられた外部非常連絡装置４と接続されており、互いに通話可能となっている。内部非常連絡装置３の近傍には、スピーカ６が発する音声を感知する音声センサ９と、この音声センサが音声を感知すると通話状態確認用アナウンスを発するアナウンス装置１０とが設けられている。音声センサ及びアナウンス装置はスイッチ１１によりＯＮ／ＯＦＦされる。【選択図】      図１
2005145686.tif 000002
【特許請求の範囲】
【請求項１】
かご室の内部に設けられマイク及びスピーカを有する内部非常連絡装置と、前記かご室の外部に設けられ前記内部非常連絡装置との間で通話可能な外部非常連絡装置と、前記内部非常連絡装置の近傍に設けられ前記スピーカが発する音声を感知する音声センサと、この音声センサが音声を感知すると通話状態確認用アナウンスを発するアナウンス装置と、前記音声センサ及び前記アナウンス装置の電源をＯＮ／ＯＦＦするスイッチと、を具備することを特徴とするエレベータの非常連絡装置。
【請求項２】
前記スイッチが、専用キーにて扉を開閉できるかご室操作盤内に設けられたことを特徴とする請求項１記載のエレベータの非常連絡装置。
【請求項３】
前記音声センサが動作したことを知らせる報知手段が前記外部非常連絡装置に設けられたことを特徴とする請求項１又は請求項２記載のエレベータの非常連絡装置。
【発明の詳細な説明】
【技術分野】
【０００１】
本発明は、エレベータのかご室の内部で非常事態が発生した際に乗客が外部と連絡を行うためのエレベータの非常連絡装置に関する。
【背景技術】
【０００２】
この種の非常連絡装置は、かご室の内部に設けられた内部非常連絡装置と、かご室の外部に設けられ内部非常連絡装置との間で通話可能な外部非常連絡装置とを備えており、かご室内部で非常事態が発生した際に乗客が内部非常連絡装置を介して外部に通報するようになっている。
【０００３】
この種の非常連絡装置では、一定期間毎に通話状態が正常であるか否かの点検を行う必要があるが、従来は、二人の作業者がかご室と外部非常連絡装置の設置場所とに分かれて点検を行っていた。
【０００４】
すなわち、かご室外の作業者が外部非常連絡装置からかご室に向けて声を発し、かご室内の作業者は、その声が内部非常連絡装置から聞こえると、内部非常連絡装置から外部に向けて声を発する。そして、かご室外の作業者は、その声が外部非常連絡装置から聞こえることを確認する。
【０００５】
このように、従来は、非常連絡装置の通話状態を点検するのに二人の作業者を必要としていたが、最近、一人で通話状態の点検を行うことができる非常連絡装置が希求されるようになってきている。
【発明の開示】
【発明が解決しようとする課題】
【０００６】
解決しようとする問題点は、従来のエレベータの非常連絡装置では、通話状態の点検を行うのに二人の作業者を必要とする点である。
【課題を解決するための手段】
【０００７】
本発明のエレベータの非常連絡装置は、かご室の内部に設けられマイク及びスピーカを有する内部非常連絡装置と、前記かご室の外部に設けられ前記内部非常連絡装置との間で通話可能な外部非常連絡装置と、前記内部非常連絡装置の近傍に設けられ前記スピーカが発する音声を感知する音声センサと、この音声センサが音声を感知すると通話状態確認用アナウンスを発するアナウンス装置と、前記音声センサ及び前記アナウンス装置の電源をＯＮ／ＯＦＦするスイッチと、を具備することを特徴としている。
【発明の効果】
【０００８】
本発明のエレベータの非常連絡装置では、まず、作業者がスイッチをＯＮにした後、外部非常連絡装置の設置場所に移動し、内部非常連絡装置に向けて声を送信する。この声は内部非常連絡装置のスピーカから発し、その音声を音声センサが感知してアナウンス装置が通話状態確認用アナウンスを発する。このアナウンスは内部非常連絡装置から外部非常連絡装置に向けて送信され、外部非常連絡装置の設置場所にいる作業者がそのアナウンスを確認する。したがって、一人の作業者で通話状態の点検を行うことができる。
【発明を実施するための最良の形態】
【０００９】
以下、本発明の一実施形態を図面に基づいて説明する。図１は本発明の一実施形態であるエレベータの非常連絡装置の概略構成図である。
【００１０】
図１において、１はかご室であり、その内部にはかご室操作盤２が設けられている。このかご室操作盤２は箱形に形成され、その一側面に専用キーによって開閉可能な扉（図示せず）を有しており、内部には内部非常連絡装置３が設けられている。
【００１１】
かご室１外部の監視センタには外部非常連絡装置４が設置されており、内部非常連絡装置３と通信回線５を介して接続されている。
【００１２】
内部非常連絡装置３はスピーカ６及びマイク７を有し、外部非常連絡装置４は送受話器８を有しており、内部非常連絡装置３と外部非常連絡装置４との間では相互に通話可能となっている。
【００１３】
また、かご室操作盤２の内部には、スピーカ６が発する音声を感知する音声センサ９、この音声センサ９が音声を感知すると通話状態確認用アナウンスを発するアナウンス装置１０、及び、これらをＯＮ／ＯＦＦするスイッチ１１が設けられている。
【００１４】
外部非常連絡装置４には、音声センサ９が動作したことを知らせる動作確認ランプ１２（報知手段）が設けられている。この動作確認ランプ１２は例えば小型発光ダイオード等により形成される。
【００１５】
内部非常連絡装置３、外部非常連絡装置４、音声センサ９、アナウンス装置１０、及び動作確認ランプ１２は、電源用配線及び信号用配線を介して接続されている。
【００１６】
次に、本実施形態の非常連絡装置を用いて通話状態の点検作業を行う手順を説明する。まず、作業者は、かご室１内でスイッチ１１をＯＮにした後、外部非常連絡装置４の設置場所に移動し、送受話器８から内部非常連絡装置３に向けて声を送信する。この声は内部非常連絡装置３のスピーカ６から発し、音声センサ９はその音声を感知してアナウンス装置１０に信号を送信する。
【００１７】
アナウンス装置１０は通話状態確認用アナウンスを発し、このアナウンスは内部非常連絡装置３から外部非常連絡装置４に向けて送信され、動作確認用ランプ１２が点灯する。外部非常連絡装置４の設置場所にいる作業者は、送受話器８を介してアナウンスを聞き取り、通話状態が正常であるか否かを確認する。
【００１８】
このように、本発明によれば、一人の作業者で通話状態の点検を容易に行うことができるため、エレベータの点検を行う会社では、点検の人員と時間を削減することができる。
【００１９】
また、本実施形態では、スイッチ１１が専用キーにて開閉できるかご室操作盤２の内部に設けられているため、悪戯や誤操作により非常連絡装置が動作するのを防止することができる。
【００２０】
さらに、動作確認ランプ１２で音声センサ９が動作したことを目視確認することができるので、便利である。
【００２１】
なお、本発明は上記実施形態に限定されるものではなく、本発明の要旨を逸脱しない範囲で上記実施形態に種々の改変を施すことができる。
【図面の簡単な説明】
【００２２】
【図１】本発明の一実施形態であるエレベータの非常連絡装置の概略構成図である。
【符号の説明】
【００２３】
１  かご室
２  かご室操作盤
３  内部非常連絡装置
４  外部非常連絡装置
６  スピーカ
７  マイク
９  音声センサ
１０  アナウンス装置
１１  スイッチ
１２  動作確認用ランプ（報知手段）
【図１】
2005145686.tif 000003